(57)【要約】【課題】移動輪の着脱作業を目の弱った老人等でも楽に行うことができるようにすること。【解決手段】機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付けた管理機において、サイドカバー体の中心部に係止孔を形成する一方、耕耘爪の回動軌跡よりも大径に形成した移動輪の中心部に係止体を取り付けて、同係止体をサイドカバー体の係止孔に外側方から挿入・係止して、サイドカバー体に移動輪を着脱自在に取り付け可能とした。【選択図】        図１
2004173634.tif 000002
【特許請求の範囲】
【請求項１】
機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付けた管理機において、
サイドカバー体の中心部に係止孔を形成する一方、耕耘爪の回動軌跡よりも大径に形成した移動輪の中心部に係止体を取り付けて、同係止体をサイドカバー体の係止孔に外側方から挿入・係止して、サイドカバー体に移動輪を着脱自在に取り付け可能としたことを特徴とする管理機。
【請求項２】
係止体は、移動輪の中心部に取り付けた取付片と、同取付片の上・下端部より内方へ対向状態に突設した一対の係止片とを弾性素材により一体成形し、両係止片の先端部をサイドカバー体の係止孔中に縮径状態にて押し込んで挿入すると共に、同先端部を弾性力により拡径させて、同係止孔に係止させるようにしたことを特徴とする請求項１記載の管理機。
【発明の詳細な説明】
【０００１】
【発明の属する技術分野】
本発明は、管理機に関する。
【０００２】
【従来の技術】
従来、管理機の一形態として、機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付け、機体フレームの前端部に移動輪を取り付けたものがある（例えば、特許文献１参照）。
【０００３】
そして、移動輪は、機体フレームの前端部に移動輪支持アームを介して連結ピンにより着脱自在に取り付けている。
【０００４】
【特許文献１】
実開平５−５５８０４号公報
【０００５】
【発明が解決しようとする課題】
ところが、上記した管理機では、移動輪を移動輪支持アームを介して連結ピンにより着脱自在に取り付けているが、連結ピンにより連結する作業が目の弱った老人等には煩雑であり、また、移動輪を取り外した状態では連結ピンが紛失しないように管理する必要性があるが、かかる連結ピンの管理も老人には煩雑である。
【０００６】
しかも、移動輪は、耕耘爪の回動軌跡よりも小径に形成されているために、移動時には、ハンドルを持ち上げて耕耘爪が地面と干渉しないようにして、同状態にて移動輪を転動させながら移動しなければならず、かかる移動作業はオペレータにとって、特に、老人にとっては、精神的にも肉体的にも楽ではない。
【０００７】
【課題を解決するための手段】
そこで、本発明では、機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付けた管理機において、サイドカバー体の中心部に係止孔を形成する一方、耕耘爪の回動軌跡よりも大径に形成した移動輪の中心部に係止体を取り付けて、同係止体をサイドカバー体の係止孔に外側方から挿入・係止して、サイドカバー体に移動輪を着脱自在に取り付け可能としたことを特徴とする管理機を提供するものである。
【０００８】
また、本発明は、係止体を、移動輪の中心部に取り付けた取付片と、同取付片の上・下端部より内方へ対向状態に突設した一対の係止片とを弾性素材により一体成形し、両係止片の先端部をサイドカバー体の係止孔中に縮径状態にて押し込んで挿入すると共に、同先端部を弾性力により拡径させて、同係止孔に係止させるようにしたことにも特徴を有する。
【０００９】
【発明の実施の形態】
以下に、本発明の実施の形態について説明する。
【００１０】
すなわち、本発明に係る管理機は、基本的構造として、機体フレーム上にエンジンを搭載し、同エンジンに上下方向に伸延するミッションケースを連動連結し、同ミッションケースの上部にハンドルを取り付ける一方、下部に左右方向に伸延する耕耘軸を貫通状態に連動連結し、同耕耘軸の外周面に耕耘爪を取り付けると共に、同耕耘軸の左右外側端部にサイドカバー体を取り付けている。
【００１１】
そして、特徴的構造として、サイドカバー体の中心部に係止孔を形成する一方、耕耘爪の回動軌跡よりも大径に形成した移動輪の中心部に係止体を取り付けて、同係止体をサイドカバー体の係止孔に外側方から挿入・係止して、サイドカバー体に移動輪を着脱自在に取り付け可能としている。
【００１２】
しかも、係止体は、移動輪の中心部に取り付けた取付片と、同取付片の上・下端部より内方へ対向状態に突設した一対の係止片とを弾性素材により一体成形し、両係止片の先端部をサイドカバー体の係止孔中に縮径状態にて押し込んで挿入すると共に、同先端部を弾性力により拡径させて、同係止孔に係止させるようにしている。
【００１３】
【実施例】
以下に、本発明の実施例を、図面を参照しながら説明する。
【００１４】
図１及び図２に示すＡは、本発明に係る管理機であり、同管理機Ａは、機体フレーム１上にエンジンＥを搭載し、同エンジンＥに伝動ケース２を介して上下方向に伸延するミッションケース３を連動連結し、同ミッションケース３の上部にハンドル４の基端部を取り付ける一方、ミッションケース３の下部に左右方向に伸延する耕耘軸５を貫通状態に連動連結し、同耕耘軸５の外周面に耕耘爪としての内盛爪６と外盛爪７とを取り付けると共に、同耕耘軸５の左右外側端部にそれぞれパラボラアンテナ状に形成したサイドカバー体８，８を取り付けている。９は燃料タンク、１０はロータリカバー、１１は抵抗棒である。
【００１５】
そして、上記したサイドカバー体８，８には、図１及び図２に示すように、内・外盛爪６，７の回動軌跡よりも大径に形成した移動輪１２，１２を着脱自在に取り付けている。
【００１６】
すなわち、図３及び図４にも示すように、パラボラアンテナ状に形成したサイドカバー体８の中心部に一対の係止孔１３，１３を左右方向に貫通させて形成する一方、移動輪１２の中心部１２ａに係止体１４を取り付けて、同係止体１４をサイドカバー体８の係止孔１３，１３に外側方から挿入・係止して、サイドカバー体８に移動輪１２を着脱自在に取り付け可能としている。
【００１７】
このようにして、移動輪１２の中心部１２ａに取り付けた係止体１４をサイドカバー体８の中心部に形成した係止孔１３，１３に挿入・係止するだけで、同移動輪１２をサイドカバー体８に取り付けることができるため、かかる移動輪１２の取付作業を目の弱った老人等でも楽に行うことができる。
【００１８】
しかも、連結ピン等を使用しないために、かかる連結ピン等の管理を行う必要性がない。
【００１９】
さらには、移動輪１２は、耕耘爪としての内・外盛爪６，７の回動軌跡よりも大径に形成して、サイドカバー体８の中心部に取り付けているため、耕耘軸５に内・外盛爪６，７と同軸的に取り付けることができて、ハンドル４の先端部を少し持ち上げるだけで、内・外盛爪６，７を地面に干渉させることなく移動輪１２を転動させながら楽に移動させることができる。
【００２０】
そして、係止体１４は、移動輪１２の中心部１２ａに取り付けた取付片１４ａと、同取付片１４ａの上・下端部より内方へ対向状態に突設した一対の係止片１４ｂ，１４ｂとを合成樹脂等の弾性素材により一体成形し、両係止片１４ｂ，１４ｂの先端部１４ｃ，１４ｃに基端側から先端側へ向けて縮径状のテーパー面１４ｄ，１４ｄを形成して、両先端部１４ｃ，１４ｃをテーパー面１４ｄ，１４ｄを介してサイドカバー体８の係止孔１３，１３中に縮径状態にて押し込んで挿入すると共に、両先端部１４ｃ，１４ｃを弾性力により拡径させて、同係止孔１３，１３の近傍に位置するサイドカバー体８の内側面８ａに、各先端部１４ｃ，１４ｃの基端に形成した係止面１４ｅ，１４ｅを当接させて係止させるようにしている。
【００２１】
このようにして、移動輪１２をサイドカバー体８に取り付ける際には、図３に示すように、係止片１４ｂ，１４ｂの先端部１４ｃ，１４ｃを係止孔１３，１３に符合させて、同係止片１４ｂ，１４ｂの先端部１４ｃ，１４ｃを係止孔１３，１３中に押し込むだけで簡単に取り付けることができる。
【００２２】
従って、目の弱った老人等であっても、一人で移動輪１２を簡単かつ確実に取り付けることができる。
【００２３】
また、移動輪１２を取り外す際には、図４に一点鎖線で示すように、一対の係止片１４ｂ，１４ｂの先端部１４ｃ，１４ｃ同士を対向方向に近接させるように抓むことにより、係止孔１３，１３との係止状態（サイドカバー体８の内側面８ａに係止面１４ｅ，１４ｅを当接させて係止した状態）を解除して、同状態にて移動輪１２を外方へ移動させることにより、係止片１４ｂ，１４ｂを係止孔１３，１３から引き抜いて楽に取り外すことができる。
【００２４】
従って、目の弱った老人等であっても、一人で移動輪１２を簡単かつ確実に取り外すことができる。
【００２５】
【発明の効果】
（１）請求項１記載の本発明では、サイドカバー体の中心部に係止孔を形成する一方、耕耘爪の回動軌跡よりも大径に形成した移動輪の中心部に係止体を取り付けて、同係止体をサイドカバー体の係止孔に外側方から挿入・係止して、サイドカバー体に移動輪を着脱自在に取り付け可能としている。
【００２６】
このようにして、移動輪の中心部に取り付けた係止体をサイドカバー体の中心部に形成した係止孔に挿入・係止するだけで、同移動輪をサイドカバー体に取り付けることができるため、かかる移動輪の取付作業を目の弱った老人等でも楽に行うことができる。
【００２７】
しかも、連結ピン等を使用しないために、かかる連結ピン等の管理を行う必要性がない。
【００２８】
さらには、移動輪は、耕耘爪の回動軌跡よりも大径に形成して、サイドカバー体の中心部に取り付けているため、耕耘軸に耕耘爪と同軸的に取り付けることができて、ハンドルを少し持ち上げるだけで、耕耘爪を地面に干渉させることなく移動輪を転動させながら楽に移動させることができる。
【００２９】
（２）請求項２記載の本発明では、係止体は、移動輪の中心部に取り付けた取付片と、同取付片の上・下端部より内方へ対向状態に突設した一対の係止片とを弾性素材により一体成形し、両係止片の先端部をサイドカバー体の係止孔中に縮径状態にて押し込んで挿入すると共に、同先端部を弾性力により拡径させて、同係止孔に係止させるようにしている。
【００３０】
このようにして、移動輪をサイドカバー体に取り付ける際には、係止片の先端部を係止孔に符合させて、同係止片の先端部を係止孔中に押し込むだけで簡単に取り付けることができる。
【００３１】
従って、目の弱った老人等であっても、一人で移動輪を簡単かつ確実に取り付けることができる。
【００３２】
また、移動輪を取り外す際には、一対の係止片の先端部同士を対向方向に近接させるように抓むことにより、係止孔との係止状態を解除して、同状態にて移動輪を外方へ移動させることにより、係止片を係止孔から引き抜いて楽に取り外すことができる。
【００３３】
従って、目の弱った老人等であっても、一人で移動輪を簡単かつ確実に取り外すことができる。
【図面の簡単な説明】
【図１】本発明に係る管理機の側面図。
【図２】同管理機の正面図。
【図３】係止体の取り付け時の断面側面説明図。
【図４】同係止体の取り外し時の断面側面説明図。
【符号の説明】
Ａ  管理機
１  機体フレーム
２  伝動ケース
３  ミッションケース
４  ハンドル
５  耕耘軸
【図１】
2004173634.tif 000003
【図２】
2004173634.tif 000004
【図３】
2004173634.tif 000005
【図４】
2004173634.tif 000006